(57)【特許請求の範囲】
【請求項１】
導入空気が流れる通風路内に、フィルタエレメント（２０）を配するフィルタ有り仕様と、前記フィルタエレメント（２０）を配しないフィルタ無し仕様との二種類を選択できるようにした車両用空調装置の通風ユニット（２１）であって、
前記通風路に、外気から前記導入空気を取り入れる外気取入口（３）と、車両の室内からの空気である内気から前記導入空気を取り入れる内気取入口（４）とを有する内外気切替箱（６）を有し、
前記外気取入口（３）または前記内気取入口（４）よりも風の流れの下流側に前記フィルタエレメント（２０）が配設可能な空間（２０ａ）を有し、
前記外気取入口（３）の内縁部または前記内気取入口（４）の内縁部と一体に成型された前記フィルタエレメント（２０）と同等の通気抵抗を有する切り取り可能な通気抵抗板（２５）を備え、
前記内外気切替箱（６）は、前記外気取入口（３）または前記内気取入口（４）から空気を吸い込むファン（８ａ）を前記外気取入口（３）または前記内気取入口（４）の風流れ下流側に有し、
前記通気抵抗板（２５）は、前記外気取入口（３）または前記内気取入口（４）の前記ファン（８ａ）に近い側の内縁部分に隣接して形成され、前記ファン（８ａ）に遠い側の縁部分と前記通気抵抗板（２５）との間に、開放された吸込開口部（２７）を形成していることを特徴とする車両用空調装置の通風ユニット。
【請求項２】
前記内外気切替箱（６）は、前記外気取入口（３）または前記内気取入口（４）を天方向に有し、前記ファン（８ａ）を地方向に有し、
前記通気抵抗板（２５）は、前記外気取入口（３）または前記内気取入口（４）の地方向の側の縁部分に隣接して形成され、前記ファン（８ａ）に遠い天方向側の縁部分と前記通気抵抗板（２５）との間に、開放された吸込開口部（２７）を形成していることを特徴とする請求項１に記載の車両用空調装置の通風ユニット。
【請求項３】
前記通気抵抗板（２５）は、切り取った後の落下を防止するために、前記通気抵抗板（２５）を保持するための凸部（２８）または凹部（４０）を有することを特徴とする請求項１または２に記載の車両用空調装置の通風ユニット。
【請求項４】
前記凸部（２８）または前記凹部（４０）は、指でつまむことのできる前記通気抵抗板（２５）と一体成型された取っ手（２８）、溝部（４０ａ、４０ｂ）、孔部のうちいずれかからなることを特徴とする請求項３に記載の車両用空調装置の通風ユニット。
【請求項５】
前記内外気切替箱（６）よりも空気流れの下流側に設けられた空調ダクト（１２）内に、空気を冷房及び暖房する空調手段（９、１０、１３）を有し、かつ車室内の乗員の上半身方向に空調風を吹出すフェイス吹出口（１４）と、乗員足元に前記空調風を吹出すフット吹出口（１５）とを有し、
前記外気取入口（３）と前記内気取入口（４）のうち、前記内気取入口（４）の方にのみ、前記通気抵抗板（２５）が形成されていることを特徴とする請求項１ないし４のうちいずれか一項に記載の車両用空調装置の通風ユニット。
【発明の詳細な説明】
【技術分野】
【０００１】
本発明は、車両の車室内の空気を空調する車両用空調装置において、フィルタエレメントが収納可能な空間を有する通風ユニットに関する。
【背景技術】
【０００２】
従来、特許文献１に記載の車両用空調装置の通風ユニットが知られている。図７は特許文献１に係る従来の通風抵抗板付き保持枠に格納されるフィルタエレメントの斜視図である。この図７のように、通風ユニットの中にフィルタエレメント２０を収納する保持枠５０があり、この保持枠５０に一体に通風抵抗板２５が切り取り可能に成型されている。具体的には、図７に示すように、フィルタエレメント２０と、該フィルタエレメント２０を保持して通風路内に固定する保持枠５０とによりフィルタアッセンブリを構成している。
【０００３】
そして、保持枠５０は、フィルタエレメント２０と同等の通気抵抗を有する、除去可能な通気抵抗板２５を備えている。フィルタ有り仕様の場合には、保持枠５０から通気抵抗板２５をニッパ等で切り取り、保持枠５０にフィルタエレメント２０を取り付けた状態で、空調ダクト内に装着する。
【０００４】
また、フィルタ無し仕様の場合には、保持枠５０に通気抵抗板２５を付けたままの状態で、上記保持枠５０を通風路内に装着する。このため、フィルタ無し仕様からフィルタ有り仕様に変更する場合には、保持枠５０から通気抵抗板２５を除去して、フィルタエレメント２０を取り付ければ良いので、簡単な作業で済む。また、仕様を変更しても通気抵抗が変化しないので、通気抵抗の変化によって生じる不具合を防止できる。
【０００５】
上記通気抵抗板２５は、保持枠５０とともに樹脂で一体成型され、フィルタ有り仕様では、保持枠５０から通気抵抗板２５を切り取って、保持枠５０にフィルタエレメント２０を嵌め込んで使用する。
【先行技術文献】
【特許文献】
【０００６】
【特許文献１】特開２０００−２６４０５６号公報
【発明の概要】
【発明が解決しようとする課題】
【０００７】
上記特許文献１の技術によると、別部品である通風抵抗板を取り付けるための保持枠が必要となるため、部品点数が多くなりコストが高くなる。また、フィルタ無仕様からフィルタ有仕様へ変更する際に、車両から保持枠を取出してから、ニッパで通風抵抗板を切取るという作業になるため作業コストがかかる。
【０００８】
本発明は、このような従来の技術に存在する問題点に着目して成されたものであり、その目的は、車両用空調装置の通風ユニットにおいて、フィルタ有り仕様とフィルタ無し仕様とに対処するための通風抵抗板の取付け時における作業コスト、及び部品点数を削減することにある。
【０００９】
従来技術として列挙された特許文献の記載内容は、この明細書に記載された技術的要素の説明として、参照によって導入ないし援用することができる。
【課題を解決するための手段】
【００１４】
本発明は上記目的を達成するために、下記の技術的手段を採用する。すなわち、請求項１に記載の発明では、導入空気が流れる通風路内に、フィルタエレメント（２０）を配するフィルタ有り仕様と、フィルタエレメント（２０）を配しないフィルタ無し仕様との二種類を選択できるようにした車両用空調装置の通風ユニット（２１）であって、通風路に、外気から導入空気を取り入れる外気取入口（３）と、車両の室内からの空気である内気から導入空気を取り入れる内気取入口（４）とを有する内外気切替箱（６）を有し、外気取入口（３）または内気取入口（４）よりも風の流れの下流側にフィルタエレメント（２０）が配設可能な空間（２０ａ）を有し、外気取入口（３）の内縁部または内気取入口（４）の内縁部と一体に成型されたフィルタエレメント（２０）と同等の通気抵抗を有する切り取り可能な通気抵抗板（２５）を備え、内外気切替箱（６）は、外気取入口（３）または内気取入口（４）から空気を吸い込むファン（８ａ）を外気取入口（３）または内気取入口（４）の風流れ下流側に有し、通気抵抗板（２５）は、外気取入口（３）または内気取入口（４）のファン（８ａ）に近い側の内縁部分に隣接して形成され、ファン（８ａ）に遠い側の縁部分と通気抵抗板（２５）との間に、開放された吸込開口部（２７）を形成していることを特徴としている。
【００１５】
この発明においては、車両用空調装置（１）の通風ユニット（２１）にとって既存の部分である外気取入口（３）、または内気取入口（４）に切り取り可能な通気抵抗板（２５）を一体成型品として備えて、内外気切替箱（６）の外気取入口（３）または内気取入口（４）の風の流れの下流側の空間（２０ａ）に、フィルタエレメント（２０）が配設可能であるから、切り取り可能な通気抵抗板（２５）を形成するための、通気抵抗板と一体に形成されたフィルタ支持枠が不要であり、フィルタ支持枠としてコストの安いもの、またはフィルタ支持枠無しでも構成することができる。また、外気取入口（３）と内気取入口（４）は、外部に開放しているため、容易に外部から通気抵抗板（２５）を切り取ることができる。更に、ファン（８ａ）に近い側の縁部分に、通気抵抗板（２５）が隣接して形成され、ファン（８ａ）に遠い側の縁部分と通気抵抗板２５の間に、開放された吸込開口部（２７）を形成しているから、流速の大きい風が、吸込開口部（２７）を流れ、比較的流速の小さい風が、通気抵抗板（２５）にさえぎられながら流れるため、風切り音等による騒音の発生を抑制することができる。
【００１６】
請求項２に記載の発明では、内外気切替箱（６）は、外気取入口（３）または内気取入口（４）を天方向に有し、ファン（８ａ）を地方向に有し、通気抵抗板（２５）は、外気取入口（３）または内気取入口（４）の地方向の側の縁部分に隣接して形成され、ファン（８ａ）に遠い天方向側の縁部分と通気抵抗板（２５）との間に、開放された吸込開口部（２７）を形成していることを特徴としている。
【００１７】
この発明においては、通気抵抗板（２５）を切り取るときに、通気抵抗板（２５）が、外気取入口（３）または内気取入口（４）の地方向の側の縁部分に隣接して形成され、換言すれば、下側に設けられているため、切り取り作業がやり易くなる。
【００１８】
請求項３に記載の発明では、通気抵抗板（２５）は、切り取った後の落下を防止するために、通気抵抗板（２５）を保持するための凸部（２８）または凹部（４０）を有することを特徴としている。
【００１９】
この発明においては、切り取った通気抵抗板（２５）が、内外気切替箱（６）内に落下するのを凸部（２８）または凹部（４０）により防止できるため、作業効率を向上させることができる。
【００２０】
請求項４に記載の発明では、凸部（２８）または凹部（４０）は、指でつまむことのできる通気抵抗板（２５）と一体成型された取っ手（２８）、溝部（４０ａ、４０ｂ）、孔部のうちいずれかからなることを特徴としている。
【００２１】
この発明においては、通気抵抗板（２５）を保持するための部分を、取っ手（２８）、溝部（４０ａ、４０ｂ）、孔部のうちいずれかから構成することができる。
【００２４】
請求項５記載の発明では、内外気切替箱（６）よりも空気流れの下流側に設けられた空調ダクト（１２）内に、空気を冷房及び暖房する空調手段（９、１０、１３）を有し、かつ車室内の乗員の上半身方向に空調風を吹出すフェイス吹出口（１４）と、乗員足元に空調風を吹出すフット吹出口（１５）とを有し、外気取入口（３）と内気取入口（４）のうち、内気取入口（４）の方にのみ、通気抵抗板（２５）が形成されていることを特徴としている。
【００２５】
この発明においては、次の点を考慮している。すなわち、車両用空調装置（１）は、夏季の非常に暑いときにフェイス吹出口（１４）から内気取入口（４）を通る空調風が、空調ダクト（１２）内の通風抵抗が少ない通風経路で比較的風量が多い状態で流れる事が多い。一方、それほど暑くないときは、フット吹出口（１５）等を通り、外気取入口（３）を通る空調風が、通風抵抗の大きい通風経路を経由して空調ダクト（１２）内を比較的風量が少ない状態で流れることが多い。
【００２６】
つまり、内気取入口（４）を通る場合の方が、外気取入口（３）を通る場合よりも大風量である場合が多い。よって、この発明においては、外気取入口（３）と、内気取入口（４）とでは、内気取入口（４）の方が、最大流速で使用する頻度が高いことを考慮して、最大流速時に使用する内気取入口（４）の方にのみに、通気抵抗板（２５）が形成されていることにより、通気抵抗作用が大きく発揮され、外気取入口（３）と、内気取入口（４）との両方に通気抵抗板（２５）を形成する場合よりも、製造コストを低減することができる。
【００２７】
なお、特許請求の範囲および上記各手段に記載の括弧内の符号ないし説明は、後述する実施形態に記載の具体的手段との対応関係を分かり易く示す一例であり、発明の内容を限定するものではない。
【図面の簡単な説明】
【００２８】
【図１】本発明の第１実施形態における車両用空調装置の通風ユニットの正面図である。
【図２】上記実施形態における車両用空調装置の通風ユニットの左側面図である。
【図３】上記実施形態における上記通風ユニットにブロワユニットを結合した状態を示す右側面図である。
【図４】上記実施形態における車両用空調装置の内部構成を示した模式図である。
【図５】本発明の第２実施形態を示す車両用空調装置の通風ユニットの斜視図である。
【図６】本発明の第３実施形態を示す通風ユニットにおける通風抵抗板の一つのセグメントの一部拡大斜視図である。
【図７】従来の通風抵抗板付き保持枠に格納されるフィルタエレメントの斜視図である。
【発明を実施するための形態】
【００２９】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。
【００３０】
各実施形態で具体的に組み合わせが可能であることを明示している部分同士の組み合わせばかりではなく、特に組合せに支障が生じなければ、明示していなくても実施形態同士を部分的に組み合せることも可能である。
【００３１】
（第１実施形態）
以下、本発明の第１実施形態について図１乃至図４を用いて詳細に説明する。図１は、車両用空調装置の通風ユニットの正面図、図２は左側面図である。図３は上記通風ユニットにブロワユニットを結合した状態を示す右側面図である。更に図４は、この第１実施形態の車両用空調装置の内部構成を示した模式図である。
【００３２】
まず、車両用空調装置の模式図である図４に基づいて、全体の構成から説明する。この第１実施形態の車両用空調装置１は、空調ケース２と、空調ケース２と車室内吹出口とを接続する各吹出しダクトで構成されている。空調ケース２は、複数のケース部材からなり、例えばポリプロピレンなどの樹脂成型品である。
【００３３】
空調ケース２には、外気や内気を切替え可能に取り入れる内外気切替箱６と、車室内、または車室外の空気をエバポレータ９以降に送風するための送風機８と、送風機８より下流に配置された各種空調ユニット部品とが、上流から順に設けられている。
【００３４】
なお、内外気切替箱６および送風機８は、車室内前方部のインストルメントパネルの裏側で、車両中央部から助手席寄りの位置に設けられている。また、空調ユニット部品は、インストルメントパネルの裏側で、車両中央部付近に設けられている。
【００３５】
内外気切替箱６には、第１空気取入口としての外気取入口３と、第２空気取入口としての内気取入口４とが開口しており、これらの取入口は、送風機８の吸込口と連通している。なお、外気取入口３または内気取入口４は、必要に応じて、車外または車室内とダクトによって接続されるものである。内外気切替箱６の内部には、外気取入口３、及び内気取入口４の開閉を切り替える内外気切替ドアとしてのロータリドア５が設けられている。
【００３６】
ロータリドア５は、送風機８の吸込口と反対側に位置する回転軸５ｃを中心として左右に回動可能なように配置されている。
【００３７】
送風機８は、遠心多翼ファン（シロッコファン）８ａと、これを駆動するモータ７とからなり、遠心多翼ファン８ａの周囲は、スクロールケーシングで囲まれている。送風機８の吹出口は、遠心多翼ファン８ａの遠心方向に伸びるダクトによって、エバポレータ９の通風入口に至る送風通路と接続されている。
【００３８】
送風機８よりも下流に配置された空調ユニット部品は、送風通路全体を横断的に塞ぐように設けられたエバポレータ９と、エバポレータ９を通過してきた空気を加熱するヒータコア１０と、エバポレータ９を通過した空気がヒータコア１０を通過する風量を調整するエアミックスドア１３と、エアミックスチャンバの下流に設けられたデフロスタ吹出量調整ドア１７ａと、フェイス吹出量調整ドア１８と、フット吹出量調整ドア１９とを備えている。
【００３９】
エバポレータ９は、図示しない冷凍サイクル内の膨張弁で減圧された低温低圧の冷媒を、送風機８の送風を受けて内部で蒸発させるものであり、冷媒が流れるチューブの周囲を通過する送風空気を冷却するものである。
【００４０】
ヒータコア１０は、走行用エンジン１１の高温の冷却水を熱源として、送風空気を加熱するものであり、エバポレータ９よりも空気流れ下流側の通路を部分的に塞ぐように配置されている。
【００４１】
エアミックスドア１３は、エバポレータ９よりも下流に設けられた片側枢支式の板状ドアであり、ヒータコア１０を通る空気量と、ヒータコア１０を迂回する空気量との比率を調節するものである。エアミックスドア１３の開度を制御することによって、エバポレータ９で冷却された空気量のうち、ヒータコア１０で加熱する空気量が調整され、これらの空気が、エアミックスチャンバで混合することにより空気の温調がなされる。
【００４２】
そして、内外気切替箱６の空気流れの下流側の空調ダクト１２内に形成されたエバポレータ９と、ヒータコア１０と、エアミックスドア１３とで、空調ダクト１２内の空気を冷房及び暖房する空調手段が形成されている。
【００４３】
エアミックスチャンバは、エバポレータ９から流れてきた空気と、ヒータコア１０で加熱された空気とが混ざり合う空間であり、下流側でデフロスタ吹出口１７、フェイス吹出口１４、およびフット吹出口１５に連通している。
【００４４】
この空間で温度調節された空調風は、デフロスタ吹出量調整ドア１７ａ、フェイス吹出量調整ドア１８、フット吹出量調整ドア１９などの各モード吹出しドアの開度を制御することによって、適正な風量割合で車室内へ供給される。
【００４５】
デフロスタ吹出口１７は、フロントウィンドウガラスに沿うように空調風を吹き出すための開口であり、この空調風が吹き出されることで、フロントウィンドウガラスの曇り度合いが低減される。
【００４６】
フェイス吹出口１４は、接続されたフェイス吹出ダクト（図示しない）によって、車室内に臨む車室内フェイス吹出口に連通している。車室内フェイス吹出口は、乗員の上半身に向けて空調風を吹き出すための開口であり、主に冷房時に使用される。
【００４７】
フット吹出口１５は、接続されたフット吹出ダクト（図示しない）によって、車室内に臨む図示しない車室内フット吹出口に連通している。上記車室内フット吹出口は、前席乗員や後席乗員の足元へ空調風を吹き出すための開口であり、主に暖房時に使用される。
【００４８】
ＥＣＵ１６には、車室内の温度を設定する温度設定手段、車室内の温度を検出する内気温度センサ、外気の温度を検出する外気温度センサ、車室内への日射量を検出する日射センサ、エバポレータ９の後流温度を検出する温度センサ、およびエンジン１１の冷却水温度を検出する水温センサなどの、各種センサからの信号が入力される。
【００４９】
ＥＣＵ１６は、各種センサからの入力信号に基づいて、所定の制御プログラムを実行して、ロータリドア５、送風機８、エアミックスドア１３、デフロスタ吹出量調整ドア１７ａ、フェイス吹出量調整ドア１８、およびフット吹出量調整ドア１９などの各ドアを駆動するサーボモータ等を制御する。
【００５０】
次に、上記空調装置の動作を説明する。ＥＣＵ１６が、内気を取り入れるために、内外気切替ドアであるロータリドア５の開度を制御し、送風機８を運転すると、ロータリドア５が、図４において反時計回りに回転して外気取入口３を閉塞する。
【００５１】
夏場の非常に暑いときには、このようにして外気取入口３を閉塞する内気モード側を選択し、エアミックスドア１３を駆動し、図４の破線のように、ヒータコア１０を閉じて、エバポレータ９を通った冷却された空気で、フェイス吹出口１４から乗員の上半身方向に空調風を吹出すことが多い。このときのエアミックスドア１３等の制御を、マックスクール（ＭＡＸ―ＣＯＯＬ）制御と呼んでいる。
【００５２】
また逆に、冬場の非常に寒いときには、内気モード側を選択し、エアミックスドア１３を駆動し、全ての風がヒータコア１０を通過する位置にエアミックスドア１３を固定して、ヒータコア１０を通った暖められた空気で、フット吹出口１５から乗員の足元に空調風を吹出すことが多い。このときのエアミックスドア１３等の制御をマックスホット（ＭＡＸ―ＨＯＴ）制御と呼んでいる。
【００５３】
そして、車内から取り込まれた内気は、内気取入口４を通り、内外気切替箱６内で、フィルタ有りの仕様では、フィルタエレメント２０が収納された空間２０ａ内を流れ、送風機８の吸込口８ｂに吸い込まれて、遠心多翼ファン８ａの半径方向外方に吹き出され、空調ケース２内の空調ユニット部品側に送風される。
【００５４】
一方、ＥＣＵ１６が、外気を取り入れるためにロータリドア５の開度を制御し、送風機
８を運転すると、ロータリドア５が、図４において時計方向に回転し、内気取入口４を閉塞する。
【００５５】
そして、車外から取り込まれた外気は、外気取入口３を通り、内外気切替箱６内でフィルタエレメント２０が収納される空間２０ａ内を通過し、送風機８の吸込口８ｂに吸い込まれて遠心多翼ファン８ａの半径方向外方に吹き出され、空調ケース２内の空調ユニット部品側に送風される。
【００５６】
次に、図１ないし図３に基づいて、図４の通風ユニット２１について説明する。この通風ユニット２１は、導入空気が流れる通風路内に、フィルタエレメントを配するフィルタ有り仕様と、フィルタエレメント２０を配しないフィルタ無し仕様との二種類を選択できるようにされている。
【００５７】
図１において、２２は、フィルタエレメントを挿入するフィルタ取付け開口部であり、このフィルタ取付け開口部２２の奥にフィルタエレメント２０が挿入される空間２０ａを有している。このフィルタエレメント２０は、フィルタ部材単体でもよく、フィルタ部材を保持するためのフィルタ保持枠は、有っても無くても良い。
【００５８】
通風路には、図２のように、外気から導入空気を取り入れる外気取入口３と、車両の室内からの空気である内気から導入空気を取り入れる内気取入口４とを有する内外気切替箱６を有している。そして、フィルタ有り仕様では、フィルタエレメント２０が、内外気切替箱６の外気取入口３または内気取入口４の風の流れの下流側の空間２０ａ内に配設されている。６ａは、補強用のリブであり、無くても良い。
【００５９】
内外気切替箱６の内気取入口４は、図１のように、フィルタエレメント２０と同等の通気抵抗を有する切り取り可能な通気抵抗板２５を備えている。通気抵抗板２５は、内外気切替箱６の内気取入口４と共に一体成型されている。
【００６０】
すなわち、内外気切替箱６の内気取入口４は、合成樹脂の成型品であり、この成型品を、金型を用いて成型するときに、通気抵抗板２５が、内外気切替箱６の内気取入口４の内縁部との間が切り取り可能な連結部２６で橋絡されて、一体に成型されている。
【００６１】
図３のように、外気取入口３及び内気取入口４の風流れ下流側に、外気取入口３または内気取入口４から空気を吸い込む遠心多翼ファン８ａを有し、通気抵抗板２５は、図１のように、内気取入口４の遠心多翼ファン８ａに近い側の縁部分、すなわち図１の内気取入口４の下側の縁部に隣接して形成されている。その結果、遠心多翼ファン８ａに遠い側の縁部分と通気抵抗板２５の間に、開放された吸込開口部２７を形成している。
【００６２】
換言すれば、内外気切替箱６は、外気取入口３または内気取入口４を天方向（図１の上方向）に有し、遠心多翼ファン８ａを地方向（図１の下方向、つまり手前方向）に有し、通気抵抗板２５は、外気取入口３または内気取入口４の地方向の側の縁部分に隣接して形成され、遠心多翼ファン８ａに遠い天方向側の縁部分と通気抵抗板２５の間に、開放された吸込開口部２７を形成している。
【００６３】
そして通気抵抗板２５は、切り取った後の落下を防止するために、通気抵抗板２５を保持するための凸部２８を構成する取っ手（把手）２８が一体に成型されている。この取っ手２８は、内気取入口４の格子枠２９の中に、一つずつ形成された通風抵抗板２５のセグメントの平面に垂直に突出した三角形の突起部から構成されている。
【００６４】
そして、取っ手２８は、指でつまむことのでき、取っ手２８を、左手で持ちながら、通風抵抗板２５のセグメントと格子枠２９との間を橋絡する細径の連結部２６を、ニッパで切り取るようにされている。また、外気取入口３及び内気取入口４の開口部分を横切る格子状の枠から成る格子枠２９は、外気取入口３及び内気取入口４と一体に合成樹脂で成型されている。
【００６５】
上記構成における作用効果について説明する。図４の車両用空調装置１の通風ユニット２１にとって、既存の車両構成部品である図１の内気取入口４に、切り取り可能なセグメントの集合である通気抵抗板２５を備えて、内外気切替箱６の内気取入口４の風の流れの下流側にフィルタエレメント２０が配設可能である。
【００６６】
よって、切り取り可能な通気抵抗板２５を形成するための、従来の通気抵抗板と一体に形成されたフィルタ保持枠が不要であり、フィルタエレメント２０は、コストの安いもの、または、フィルタ保持枠なしで構成することができる。また、内気取入口４は外部に開放しているため、容易に外部から通気抵抗板２５を切り取ることができる。
【００６７】
通気抵抗板２５は、内外気切替箱６の内気取入口４と共に一体成型され、通気抵抗板２５と内外気切替箱６の内気取入口４との間が、一体成型された切り取り可能な連結部２６で橋絡されているから、製造コストの削減、部品点数の削減が可能である。
【００６８】
また、図３の送風機８内の遠心多翼ファン８ａに近い側の縁部分に、通気抵抗板２５が隣接して形成され、遠心多翼ファン８ａに遠い側の縁部分と通気抵抗板２５の間に、開放された吸込開口部２７を形成しているから、流速が大きい風が、吸込開口部２７を流れ、比較的流速の小さい風が、通気抵抗板２５に風流れを妨げられて流れるため、騒音の発生を抑制することができる。
【００６９】
また、通気抵抗板２５を切り取るときに、通気抵抗板２５が内気取入口４の地方向の側の縁部分に隣接して形成されているため、換言すれば、下側に設けられているため、切り取り作業がやり易い。
【００７０】
そして、通気抵抗板２５は、切り取った後の落下を防止するために、通気抵抗板２５の一つのセグメントを保持するために、指でつまむことのできる一体成型された取っ手２８を有する。
【００７１】
この取っ手２８を持って切り取り作業を行うことで、切り取った通気抵抗板２５のセグメントが、内外気切替箱６内に落下するのを防止できるため、作業効率を向上させることができる。
【００７２】
また、通気抵抗板２５は、切り取り可能な複数のセグメントの集合からなるため、内気取入口４を横切る格子枠２９の中に、各セグメントを一体に設けることができる。これにより、必要な数だけのセグメントを切り取ることで、通風抵抗の調整を行うこともできる。
【００７３】
フィルタ有仕様では、内気取入口４から通気抵抗板２５を切り取ってから、フィルタエレメント２０を図１のフィルタ取付け開口部２２から挿入して取り付ける。このフィルタエレメント２０は、フィルタエレメント２０として、形状を保持できる程度のもので有ればよく、従来のように、通風抵抗板と一体になった強固な保持枠は、無くても良い。
【００７４】
また、この第１実施形態においては、外気取入口３と、内気取入口４とのうち、内気取入口４の方にのみ、通気抵抗板２５が形成されている。そして、図４の車両用空調装置１は、夏季の非常に暑いときに、フェイス吹出口１４から、内気取入口４を通る空調風が、空調ダクト１２内を、通風抵抗が少ない経路で流れ、それほど暑くないときは、フェイス吹出口１４等と外気取入口３を通る空調風が、通風抵抗の大きい経路で、空調ダクト１２内を流れることが知られている。
【００７５】
つまり、外気取入口３と、内気取入口４とでは、内気取入口４の方が空調風の流速が大きい。そこで、空調風の流速が大きい内気取入口４の方にのみに、通気抵抗板２５が形成されていることにより、外気取入口３と、内気取入口４との両方に通気抵抗板２５を形成する場合よりも、製造コストを低減することができている。
【００７６】
換言すれば、遠心多翼ファン８ａに最大電圧を印加して最大風量を出すフェイスモードは、内気取入口４を開放する内気モードでの使用頻度が多い。また、フットモードとデフモードとは、風量が比較的少なく、外気モードでの使用頻度が高い。
【００７７】
この第１実施形態では、空調風の流速が大きい内気取入口４の方にのみ通気抵抗板２５が形成されているので、コストダウンすることができる。そして、空調風の流速が大きい内気取入口４の方に通気抵抗板２５を形成した方が、通風抵抗板２５による圧力損失増大効果が大きい。
【００７８】
一方、外気取入口３に通風抵抗板２５が無いが、外気モード時は、風量が比較的小さい。従って、通気抵抗板２５が無いことにより、通風抵抗板２５による圧力損失増大効果が無いが、もともと風量が少ないため、通風抵抗板２５が無くても大きなデメリットは生じない。
【００７９】
（第２実施形態）
次に、本発明の第２実施形態について説明する。なお、以降の各実施形態においては、上述した第１実施形態と同一の構成要素には同一の符号を付して説明を省略し、異なる構成および特徴について説明する。
【００８０】
図５は、本発明の第２実施形態を示す車両用空調装置１（図４）の通風ユニット２１の斜視図である。図５において、通気抵抗板２５は、内外気切替箱６の内気取入口４と共に一体成型され、通気抵抗板２５と内外気切替箱６の内気取入口４の内縁部との間が一体成型された切り取り可能な細径の連結部２６で橋絡されている。
【００８１】
また、遠心多翼ファン８ａに近い側の縁部分の格子枠２９は、全閉された全閉部３１を有している。そして、この全閉部３１に、セグメントの集合からなる通気抵抗板２５が隣接して形成されている。また、遠心多翼ファン８ａに遠い側の縁部分と、通気抵抗板２５の間に、開放された吸込開口部２７を形成している。
【００８２】
これにより、流速が大きい風が吸込開口部２７を流れ、比較的流速の小さい風が通気抵抗板２５を介して流れるため、騒音の発生を抑制することができる。また切り取る必要の無い通気抵抗板２５部分は、全閉部３１として、内外気切替箱６の内気取入口４を横切る格子枠２９と一体の樹脂成型品で構成されている。
【００８３】
フィルタ有仕様では、内気取入口４から通気抵抗板２５を切り取ってから、フィルタエレメント２０を図５のフィルタ取付け開口部２２から挿入して取り付ける。このフィルタエレメント２０は、フィルタエレメント２０として、形状を保持できるもので有ればよく、従来の通風抵抗板と一体になった保持枠は不要である。
【００８４】
このように、上記第１実施形態及び第２実施形態においては、内外気切替箱６の内気取入口４のみを、通風抵抗板２５で塞ぐことで、車両に通風ユニット２１（あるいは通風ユニット２１と図３のブロワユニット２１ａ）を搭載したまま、通風抵抗板２５の切取り作業が行えるので、通風ユニット２１を車両から下ろす手間が省ける。ちなみに、外気取入口３に通風抵抗板２５を装着した場合には、一度、通風ユニット２１を車両から下ろさなければ切取り作業ができない。
【００８５】
また、このように、内気取入口４のみに通風抵抗板２５を設けた場合においても、最大風量（ＭＡＸ風量）を出すことがあるフェイスモードは、内気モードでの使用頻度が多いため、通風抵抗板２５の効果を発揮し易い。
【００８６】
一方、フットモードとデフモードは、外気モードでの使用頻度が高いが、この場合、図４の空調ダクト１２等の通風経路の通風抵抗の影響により、風量が小さいので、外気取入口３に切取り可能な通風抵抗板がないことによるデメリットは少ない。
【００８７】
（第３実施形態）
次に、本発明の第３実施形態について説明する。上述した実施形態と異なる特徴部分を説明する。図６は、第３実施形態を示す通風ユニットにおける通風抵抗板２５の一つのセグメントの一部拡大斜視図である。
【００８８】
図６において、通風抵抗板２５の一つのセグメントには、凹部４０となる溝部４０ａ、４０ｂが一対形成されている。この溝部４０ａ、４０ｂに指、または専用工具を引っ掛けて、通風抵抗板２５のセグメントが落ちないように保持して、橋絡部分である細径の連結部２６をニッパ等で切り取る。
【００８９】
（その他の実施形態）
本発明は、上述した実施形態にのみ限定されるものではなく、次のように変形または拡張することができる。例えば、上述の実施形態では、内気取入口４のみに通風抵抗板２５を設けたが、外気取入口３のみ、あるいは、内気取入口４と外気取入口３の双方に通風抵抗板２５を形成しても良い。
【００９０】
また、通気抵抗板２５は、切り取った後の落下を防止するために通気抵抗板２５を保持するための凸部または凹部を有するが、凹部の場合、図６のように、溝部で形成してもよく、また、孔部で形成しても良い。
【００９１】
なお、このような凹部の場合は、通風抵抗板２５として風をさえぎる効果が一部損なわれるが、ピンセット状またはフック状の専用工具を用いれば、指を凹部内に通す必要がないので、溝部や孔部の径を小さくすることができる。
【符号の説明】
【００９２】
１  車両用空調装置
３  外気取入口
４  内気取入口
６  内外気切替箱
８ａ  ファン
９、１０、１３  空調手段
１２  空調ダクト
１４  フェイス吹出口
１５  フット吹出口
２０  フィルタエレメント
２０ａ  空間
２１  通風ユニット
２５  通気抵抗板
２６  連結部
２７  吸込開口部
２８  凸部、取っ手
２９  格子枠
４０  凹部
４０ａ、４０ｂ  溝部
【図１】
0005569072.tif 000002
【図２】
0005569072.tif 000003
【図３】
0005569072.tif 000004
【図４】
0005569072.tif 000005
【図５】
0005569072.tif 000006
【図６】
0005569072.tif 000007
【図７】
0005569072.tif 000008